(57)【要約】【課題】被記録媒体における記録品質を向上させることができる平板状プラテンを提供する。【解決手段】所定の搬送方向Ｃに搬送される被記録媒体に対向配置されている発光素子および受光素子を搬送方向Ｃと交差する方向に移動させながら発光素子から被記録媒体に向かって光を出射し、受光素子の受光量に基づいて被記録媒体の側端部を検出する側端部検出手段と、インクを選択的に吐出して被記録媒体上に画像を記録する記録ヘッドと、を備えたインクジェット記録装置に用いられる平板状プラテン２０であって、記録ヘッドにより吐出されたインクが、側端部検出手段の移動領域と対向する領域Ｄに侵入することを堰き止める堰止壁２７ａ、２７ｂを、搬送方向Ｃに対して交差する位置に設けた平板状プラテン２０により、上記課題を解決する。【選択図】        図６
2005280332.tif 000002
【特許請求の範囲】
【請求項１】
所定の搬送方向に搬送される被記録媒体に対向配置されている発光素子および受光素子を前記搬送方向と交差する方向に移動させながら前記発光素子から被記録媒体に向かって光を出射し、前記受光素子の受光量に基づいて被記録媒体の側端部を検出する側端部検出手段と、インクを選択的に吐出して被記録媒体上に画像を記録する記録ヘッドと、を備えたインクジェット記録装置に用いられる平板状プラテンであって、
前記記録ヘッドにより吐出されたインクが、前記側端部検出手段の移動領域と対向する領域に侵入することを堰き止める堰止壁を、前記搬送方向に対して交差する位置に設けたことを特徴とする平板状プラテン。
【請求項２】
前記記録ヘッドがインクを吐出する領域よりも、前記側端部検出手段を有する側に前記堰止壁を設けたことを特徴とする請求項１に記載の平板状プラテン。
【請求項３】
前記堰止壁は、前記発光素子から出射された光が前記受光素子に向かって反射することを防止する斜面を有し、当該斜面は、前記搬送方向の上流側に配置されていることを特徴とする請求項１または請求項２に記載の平板状プラテン。
【請求項４】
前記堰止壁は、複数であることを特徴とする請求項１乃至請求項３のいずれか一項に記載の平板状プラテン。
【請求項５】
前記インクジェット記録装置が、被記録媒体が前記搬送方向に搬送される際に当該被記録媒体との接触面積を低減する接触面積低減部材を有する場合に、
前記接触面積低減部材の高さよりも、前記堰止壁の高さの方が低いことを特徴とする請求項１乃至請求項４のいずれか一項に記載の平板状プラテン。
【請求項６】
前記搬送方向に対し実質的に平行であり、前記堰止壁よりも前記記録ヘッドを有する側に設けられた複数の溝部と、当該溝部に誘導されるインクを吸収するインク吸収部材と、をさらに備えたことを特徴とする請求項１乃至請求項５のいずれか一項に記載の平板状プラテン。
【請求項７】
前記平板状プラテンにおける前記堰止壁の前記記録ヘッドを有する側には、シボが形成されていることを特徴とする請求項１乃至請求項６のいずれか一項に記載の平板状プラテン。
【請求項８】
前記シボは、少なくとも前記溝部の底面に形成されることを特徴とする請求項７に記載の平板状プラテン。
【請求項９】
前記平板状プラテンは、前記側端部検出手段と対面する領域に反射防止処理が施されていることを特徴とする請求項１、請求項２、請求項４乃至請求項８のいずれか一項に記載の平板状プラテン。
【請求項１０】
被記録媒体を所定の搬送方向へ搬送する被記録媒体搬送手段と、
搬送される被記録媒体に対向配置されている発光素子および受光素子を前記搬送方向と交差する方向に移動させながら前記発光素子から被記録媒体に向かって光を出射し、前記受光素子の受光量に基づいて被記録媒体の側端部を検出する側端部検出手段と、
インクを選択的に吐出して被記録媒体上に画像を記録する記録ヘッドと、
前記記録ヘッドがインクを吐出する位置に備えられ、その上部に被記録媒体を保持可能な領域を有する平板状プラテンと、を有するインクジェット記録装置において、
前記平板状プラテンは、前記記録ヘッドにより吐出されたインクが、前記側端部検出手段の移動領域と対向する領域に侵入することを堰き止める堰止壁を、前記搬送方向に対して交差する位置に設けたことを特徴とするインクジェット記録装置。
【請求項１１】
前記記録ヘッドがインクを吐出する領域よりも、前記側端部検出手段を有する側に前記堰止壁を設けたことを特徴とする請求項１０に記載のインクジェット記録装置。
【請求項１２】
前記堰止壁は、前記発光素子から出射された光が前記受光素子に向かって反射することを防止する斜面を有し、当該斜面は、前記搬送方向の上流側に配置されていることを特徴とする請求項１０または請求項１１に記載のインクジェット記録装置。
【請求項１３】
前記堰止壁は、複数であることを特徴とする請求項１０乃至請求項１２のいずれか一項に記載のインクジェット記録装置。
【請求項１４】
前記インクジェット記録装置が、被記録媒体が前記搬送方向に搬送される際に当該被記録媒体との接触面積を低減する接触面積低減部材を有する場合に、
前記接触面積低減部材の高さよりも、前記堰止壁の高さの方が低いことを特徴とする請求項１０乃至請求項１３のいずれか一項に記載のインクジェット記録装置。
【請求項１５】
前記搬送方向に対し実質的に平行であり、前記堰止壁よりも前記記録ヘッドを有する側に設けられた複数の溝部と、当該溝部に誘導されるインクを吸収するインク吸収部材と、をさらに備えたことを特徴とする請求項１０乃至請求項１４のいずれか一項に記載のインクジェット記録装置。
【請求項１６】
前記平板状プラテンにおける前記堰止壁の前記記録ヘッドを有する側には、シボが形成されていることを特徴とする請求項１０乃至請求項１５のいずれか一項に記載のインクジェット記録装置。
【請求項１７】
前記シボは、少なくとも前記溝部の底面に形成されることを特徴とする請求項１６に記載のインクジェット記録装置。
【請求項１８】
前記平板状プラテンは、前記側端部検出手段と対面する領域に反射防止処理が施されていることを特徴とする請求項１０、請求項１１、請求項１３乃至請求項１７のいずれか一項に記載のインクジェット記録装置。
【発明の詳細な説明】
【技術分野】
【０００１】
本発明は、搬送される被記録媒体の側端部を検知して記録を行うインクジェット記録装置に設けられて記録の際に被記録媒体を支持する平板状プラテンに関する。また本発明は、搬送される被記録媒体の側端部を検知して記録を行うインクジェット記録装置に関する。
【背景技術】
【０００２】
プリンタ装置やファクシミリ装置等のインクジェット記録装置が特許文献１に開示されている。このインクジェット記録装置は、搬送される被記録媒体を水平方向に案内する平板状プラテンおよび被記録媒体の搬送方向に垂直な方向に移動可能な記録ヘッドを有している。こうしたインクジェット記録装置は、平板状プラテン上に配される被記録媒体を搬送して被記録媒体に対向配置された記録ヘッドが移動しながら、当該被記録媒体に記録が行われる。
【０００３】
記録ヘッドには、被記録媒体の幅検出用に、ＬＥＤからなる発光素子とフォトトランジスタから成る受光素子が設けられている。被記録媒体の搬送方向に垂直な方向に記録ヘッドを移動させながら発光素子を駆動して、移動する当該発光素子から出射された光が被記録媒体で反射して受光素子で捉えられるか否かによって搬送される被記録媒体の搬送方向に平行な側端部が検出される。これにより、記録ヘッドの走査方向の記録開始位置および記録終了位置を位置決めできるようになっている。
【特許文献１】特開２０００−１０９２４３号公報（第４頁〜第６頁、第３図）
【発明の開示】
【発明が解決しようとする課題】
【０００４】
しかしながら、インクジェット記録装置を用いた場合には、記録ヘッドからインクが平板状プラテン上に吐出され、発光素子から出射した光がインクにより通常と異なる方向に反射して、受光素子により検出される場合がある。そのような場合には、被記録媒体の側端部を誤検出するおそれがあった。被記録媒体の側端部が誤検出されると、さらに、被記録媒体の存在していない位置に記録ヘッドからインクが吐出される可能性がある。そのような場合には、平板状プラテンがインクで汚れてしまい、次の被記録媒体が平板状プラテンを通過するときに汚れてしまうこと等によって、インクジェット記録装置の記録品質が低下するという不都合が生じる場合があった。
【０００５】
そこで、本発明は、被記録媒体における記録品質を向上させることができる平板状プラテンおよびこれを用いたインクジェット記録装置を提供することを目的とする。
【課題を解決するための手段】
【０００６】
上記の課題を解決するために、本発明の平板状プラテンは、所定の搬送方向に搬送される被記録媒体に対向配置されている発光素子および受光素子を前記搬送方向と交差する方向に移動させながら前記発光素子から被記録媒体に向かって光を出射し、前記受光素子の受光量に基づいて被記録媒体の側端部を検出する側端部検出手段と、インクを選択的に吐出して被記録媒体上に画像を記録する記録ヘッドと、を備えたインクジェット記録装置に用いられる平板状プラテンであって、前記記録ヘッドにより吐出されたインクが、前記側端部検出手段の移動領域と対向する領域に侵入することを堰き止める堰止壁を、前記搬送方向に対して交差する位置に設けたことを特徴とする。
【０００７】
この発明によれば、記録ヘッドにより吐出されたインクが、側端部検出手段の移動領域と対向する領域に侵入することを堰き止める堰止壁を平板状プラテンに設けたので、平板状プラテンの側端部検出手段の移動領域と対向する領域にインクが侵入することを防止できる。従って、インクが侵入することによる側端部検出手段の誤検出が防止され、被記録媒体における記録品質を向上させることができる。
【０００８】
上記本発明の平板状プラテンにおいては、前記記録ヘッドがインクを吐出する領域よりも、前記側端部検出手段を有する側に前記堰止壁を設けたことを特徴とする。
【０００９】
この発明によれば、具体的に、記録ヘッドがインクを吐出する領域よりも側端部検出手段を有する側に堰止壁を設けたことにより、平板状プラテンの側端部検出手段の移動領域と対向する領域にインクが侵入することを防止できる。従って、インクが侵入することによる側端部検出手段の誤検出が防止され、被記録媒体における記録品質を向上させることができる。
【００１０】
上記本発明の平板状プラテンにおいて、前記堰止壁は、前記発光素子から出射された光が前記受光素子に向かって反射することを防止する斜面を有し、当該斜面は、前記搬送方向の上流側に配置されていることを特徴とする。
【００１１】
この発明によれば、平板状プラテンの堰止壁が発光素子から出射された光が受光素子に向かって反射することを防止する斜面を有しているので、被記録媒体が存在しない場合には、発光素子から出射された光が受光素子の存在しない方向に反射するとともに、被記録媒体が存在する場合には、発光素子から出射された光が受光素子の存在する方向に反射するため、側端部検出手段により被記録媒体の側端部を検出することができる。また、斜面は、搬送方向の上流側に配置されているため、被記録媒体が搬送されることを遮ることなく、ＪＡＭを防止して被記録媒体をスムーズに搬送することができる。
【００１２】
上記本発明の平板状プラテンにおいては、前記堰止壁は、複数であることを特徴とする。
【００１３】
この発明によれば、堰止壁を複数有することにより、平板状プラテンの側端部検出手段と対面する領域にインクが侵入することを確実に防止でき、インクが侵入することによる側端部検出手段の誤検出が防止され、被記録媒体における記録品質を向上させることができる。
【００１４】
上記本発明の平板状プラテンにおいては、前記インクジェット記録装置が、被記録媒体が前記搬送方向に搬送される際に当該被記録媒体との接触面積を低減する接触面積低減部材を有する場合に、前記接触面積低減部材の高さよりも、前記堰止壁の高さの方が低いことを特徴とする。
【００１５】
この発明によれば、高さの高い接触面積低減部材は、被記録媒体と摺動して記録された被記録媒体を案内するとともに、高さの低い堰止壁は、記録によってインクを吸収して搬送方向に垂直な方向に撓んだ被記録媒体を持ち上げる。従って、被記録媒体の撓みを抑制して品質の高い記録を行うことができる。
【００１６】
上記本発明の平板状プラテンにおいては、前記搬送方向に対し実質的に平行であり、前記堰止壁よりも前記記録ヘッドを有する側に設けられた複数の溝部と、当該溝部に誘導されるインクを吸収するインク吸収部材と、をさらに備えたことを特徴とする。
【００１７】
この発明によれば、溝部が形成されることにより、堰止壁の記録ヘッドを有する側に落下したインクが、毛管現象により溝部を伝って流れやすくなり、インク吸収部材に吸収されるため、インクのはけがよくなる。従って、平板状プラテンの側端部検出手段と対面する領域にインクが侵入することを確実に防止でき、インクが侵入することによる側端部検出手段の誤検出が防止され、被記録媒体における記録品質を向上させることができる。
【００１８】
上記本発明の平板状プラテンにおいては、前記平板状プラテンにおける前記堰止壁の前記記録ヘッドを有する側には、シボが形成されていることを特徴とする。
【００１９】
この発明によれば、堰止壁の記録ヘッドを有する側にシボが形成されることにより、シボが形成された面の撥水性が高められ、記録ヘッドにより吐出されて落下したインクが流れ、上述のインク吸収部材に吸収されやすくなる。従って、平板状プラテンの側端部検出手段と対面する領域にインクが侵入することを確実に防止でき、インクが侵入することによる側端部検出手段の誤検出が防止され、被記録媒体における記録品質を向上させることができる。
【００２０】
上記本発明の平板状プラテンにおいては、前記シボは、少なくとも前記溝部の底面に形成されることを特徴とする。
【００２１】
この発明によれば、溝部底面の撥水性が高められ、溝部に落下したインクが流れてインク吸収部材に吸収されやすくなる。従って、平板状プラテンの側端部検出手段と対面する領域にインクが侵入することを確実に防止でき、インクが侵入することによる側端部検出手段の誤検出が防止され、被記録媒体における記録品質を向上させることができる。
【００２２】
上記本発明の平板状プラテンは、前記側端部検出手段と対面する領域に反射防止処理が施されていることを特徴とする。
【００２３】
この発明によれば、側端部検出手段の発光素子から出射された光は、平板状プラテンの反射防止処理が施された領域で反射され、乱反射や吸収等によって受光素子に入射する光が極端に少なくなる。従って、被記録媒体が存在しない場合に平板状プラテンからの反射光が抑制または防止されるようになっている。一方、被記録媒体上で反射された光は受光素子に多量に入射する。このため、側端部検出手段が受光する光量に基づいてインクジェット記録装置が被記録媒体の存在有無を確実に検知できるので、被記録媒体の側端部を正確に判断することが可能になり、被記録媒体における記録品質を向上させることができる。
【００２４】
また、上記課題を解決するインクジェット記録装置は、被記録媒体を所定の搬送方向へ搬送する被記録媒体搬送手段と、搬送される被記録媒体に対向配置されている発光素子および受光素子を前記搬送方向と交差する方向に移動させながら前記発光素子から被記録媒体に向かって光を出射し、前記受光素子の受光量に基づいて被記録媒体の側端部を検出する側端部検出手段と、インクを選択的に吐出して被記録媒体上に画像を記録する記録ヘッドと、前記記録ヘッドがインクを吐出する位置に備えられ、その上部に被記録媒体を保持可能な領域を有する平板状プラテンと、を有するインクジェット記録装置において、前記平板状プラテンは、前記記録ヘッドにより吐出されたインクが、前記側端部検出手段の移動領域と対向する領域に侵入することを堰き止める堰止壁を、前記搬送方向に対して交差する位置に設けたことを特徴とする。
【００２５】
この発明によれば、記録ヘッドにより吐出されたインクが、側端部検出手段の移動領域と対向する領域に侵入することを堰き止める堰止壁を平板状プラテンに設けたので、平板状プラテンの側端部検出手段の移動領域と対向する領域にインクが侵入することを防止できる。従って、インクジェット記録装置において、インクが侵入することによる側端部検出手段の誤検出が防止され、被記録媒体における記録品質を向上させることができる。
【００２６】
上記本発明のインクジェット記録装置において、前記記録ヘッドがインクを吐出する領域よりも、前記側端部検出手段を有する側に前記堰止壁を設けたことを特徴とする。
【００２７】
この発明によれば、具体的に、記録ヘッドがインクを吐出する領域よりも側端部検出手段を有する側に堰止壁を設けたことにより、平板状プラテンの側端部検出手段の移動領域と対向する領域にインクが侵入することを防止できる。従って、インクが侵入することによる側端部検出手段の誤検出が防止され、被記録媒体における記録品質を向上させることができる。
【００２８】
上記本発明のインクジェット記録装置において、前記堰止壁は、前記発光素子から出射された光が前記受光素子に向かって反射することを防止する斜面を有し、当該斜面は、前記搬送方向の上流側に配置されていることを特徴とする。
【００２９】
この発明によれば、平板状プラテンの堰止壁が発光素子から出射された光が受光素子に向かって反射することを防止する斜面を有しているので、被記録媒体が存在しない場合には、発光素子から出射された光が受光素子の存在しない方向に反射するとともに、被記録媒体が存在する場合には、発光素子から出射された光が受光素子の存在する方向に反射するため、側端部検出手段により被記録媒体の側端部を正確に検出することができる。また、斜面は、搬送方向の上流側に配置されているため、被記録媒体が搬送されることを遮ることなく、ＪＡＭを防止して被記録媒体をスムーズに搬送することができる。
【００３０】
上記本発明のインクジェット記録装置において、前記堰止壁は、複数であることを特徴とする。
【００３１】
この発明によれば、堰止壁を複数有することにより、平板状プラテンの側端部検出手段と対面する領域にインクが侵入することを確実に防止でき、インクが侵入することによる側端部検出手段の誤検出が防止され、被記録媒体における記録品質を向上させることができる。
【００３２】
上記本発明のインクジェット記録装置において、前記インクジェット記録装置が、被記録媒体が前記搬送方向に搬送される際に当該被記録媒体との接触面積を低減する接触面積低減部材を有する場合に、前記接触面積低減部材の高さよりも、前記堰止壁の高さの方が低いことを特徴とする。
【００３３】
この発明によれば、高さの高い接触面積低減部材は、被記録媒体と摺動して記録された被記録媒体を案内するとともに、高さの低い堰止壁は、記録によってインクを吸収して搬送方向に垂直な方向に撓んだ被記録媒体を持ち上げる。従って、被記録媒体の撓みを抑制して品質の高い記録を行うことができる。
【００３４】
上記本発明のインクジェット記録装置において、前記搬送方向に対し実質的に平行であり、前記堰止壁よりも前記記録ヘッドを有する側に設けられた複数の溝部と、当該溝部に誘導されるインクを吸収するインク吸収部材と、をさらに備えたことを特徴とする。
【００３５】
この発明によれば、溝部が形成されることにより、堰止壁の記録ヘッドを有する側に落下したインクが、毛管現象により溝部を伝って流れやすくなり、インク吸収部材に吸収されるため、インクのはけがよくなる。従って、平板状プラテンの側端部検出手段と対面する領域にインクが侵入することを確実に防止でき、インクが侵入することによる側端部検出手段の誤検出が防止され、被記録媒体における記録品質を向上させることができる。
【００３６】
上記本発明のインクジェット記録装置において、前記平板状プラテンにおける前記堰止壁の前記記録ヘッドを有する側には、シボが形成されていることを特徴とする。
【００３７】
この発明によれば、堰止壁の記録ヘッドを有する側にシボが形成されることにより、シボが形成された面の撥水性が高められ、記録ヘッドにより吐出されて落下したインクが流れ、上述のインク吸収部材に吸収されやすくなる。従って、平板状プラテンの側端部検出手段と対面する領域にインクが侵入することを確実に防止でき、インクが侵入することによる側端部検出手段の誤検出が防止され、被記録媒体における記録品質を向上させることができる。
【００３８】
上記本発明のインクジェット記録装置において、前記シボは、少なくとも前記溝部の底面に形成されることを特徴とする。
【００３９】
この発明によれば、溝部底面の撥水性が高められ、溝部に落下したインクが流れてインク吸収部材に吸収されやすくなる。従って、平板状プラテンの側端部検出手段と対面する領域にインクが侵入することを確実に防止でき、インクが侵入することによる側端部検出手段の誤検出が防止され、被記録媒体における記録品質を向上させることができる。
【００４０】
上記本発明のインクジェット記録装置において、前記平板状プラテンは、前記側端部検出手段と対面する領域に反射防止処理が施されていることを特徴とする。
【００４１】
この発明によれば、側端部検出手段の発光素子から出射された光は、平板状プラテンの反射防止処理が施された領域で反射され、乱反射や吸収等によって受光素子に入射する光が極端に少なくなる。従って、被記録媒体が存在しない場合に平板状プラテンからの反射光が抑制または防止されるようになっている。一方、被記録媒体上で反射された光は受光素子に多量に入射する。このため、側端部検出手段が受光する光量に基づいてインクジェット記録装置が被記録媒体の存在有無を確実に検知できるので、被記録媒体の側端部を正確に判断することが可能になり、被記録媒体における記録品質を向上させることができる。
【発明の効果】
【００４２】
本発明の平板状プラテンによれば、平板状プラテンの側端部検出手段と対面する領域にインクが侵入することを防止できる。従って、インクが侵入することによる側端部検出手段の誤検出が防止され、当該平板状プラテンを備えたインクジェット記録装置の被記録媒体における記録品質を向上させることができる。
【００４３】
本発明のインクジェット記録装置によれば、当該装置に備えられる平板状プラテンの、側端部検出手段と対面する領域にインクが侵入することを防止できる。従って、インクが侵入することによる側端部検出手段の誤検出が防止され、当該平板状プラテンを備えたインクジェット記録装置の被記録媒体における記録品質を向上させることができる。
【発明を実施するための最良の形態】
【００４４】
以下に、本発明の平板状プラテンおよびインクジェット記録装置の実施形態について、図面を参照して説明する。本実施形態は、本発明のインクジェット記録装置として、プリンタ機能と、コピー機能と、パーソナルコンピュータ等との接続によるスキャナ機能と、ファクシミリ機能に加えて、電話機能を備え、インクジェット記録部を備えた複合端末装置１を用いた場合のものである。また、本発明は、単にプリンタ機能を有するインクジェットプリンタ装置に適用しても構わない。なお、本実施形態は、本発明における被記録媒体として、紙やプラスチックフィルムを用いた場合のものであるが、これに限定されず、他の種々の被記録媒体を用いることができる。
【００４５】
図１は複合端末装置の外観を示す斜視図、図２は図１における被記録媒体の搬送方向の断面図、図３は複合端末装置の内部の概略構成を示す斜視図である。
【００４６】
最初に、複合端末装置１の全体構成について説明する。なお、以下の説明では図１の上下左右方向を便宜的に複合端末装置の上下左右として表現するが、それにより複合端末装置の使用時の向きが限定されるものではない。
【００４７】
この複合端末装置１は、前方に略矩形状の開口２ａを有する略直方体形状の筐体２を備えている。当該開口２ａは所定の大きさの被記録媒体を出し入れできる程度に形成されている。複合端末装置１は、筐体２の前方上方に設けられる操作部３と、筐体２の開口２ａ内部に設けられる給紙部４及び排紙部５と、筐体２の内部に設けられる記録機構部６（図２）と、筐体２の上部に設けられる原稿読取部７と、本発明における記録ヘッド１０のメンテナンス処理を行うメンテナンス機構部（図示なし）と、を備える。また、操作部３の下方側方には、外部メモリを挿入するための外部メモリ挿入部８を備える。外部メモリとは、例えば、コンパクトフラッシュ（登録商標）、スマートメディア（登録商標）、メモリスティック（登録商標）、ＳＤカード（登録商標）、ｘＤ（登録商標）等である。
【００４８】
原稿読取部７は、後端部において水平軸により上下に回動可能に構成され、上部カバー７ａを上側に開けると、原稿を載置する原稿載置用ガラス７ｂ（図２）が設けられている。また、その原稿載置用ガラス７ｂの下側には原稿読取用のイメージスキャナ機構部７ｃが設けられている。
【００４９】
なお、図２に示すように、複合端末装置１の開口２ａ内部は上下に仕切られて形成されている。開口２ａの下方は被記録媒体を給紙する給紙部４として機能し、開口２ａの上方は当該被記録媒体が記録されて排紙される排紙部５として機能する。
【００５０】
この複合端末装置１は、被記録媒体（用紙やＯＨＰシート等）を給紙部４の給紙トレイ４ａに挿入し、操作部３の操作パネル３ａに設けられているボタン３ｂ、３ｂ・・・３ｂまたは接続されたＰＣ等により記録の指示を行うと、給紙部４の給紙ローラ４ａにより、被記録媒体の最上部の一枚が、分離される。分離された被記録媒体は搬送ローラ９により記録機構部６へ案内される。記録機構部６へ案内された被記録媒体に対し、記録ヘッド１０が被記録媒体の幅方向に往復移動しつつ、画像信号に応じて記録ヘッド１０のノズル面からインクを選択的に吐出し、被記録媒体上に画像が記録される。そして記録された被記録媒体は排紙部５の排紙ローラ５ａにより、排出トレイ５ｂ（排紙部５）から排紙される。
【００５１】
一方、上部カバーを開けて原稿載置用ガラス７ｂに原稿を載置すると、イメージスキャナ機構部７ｃにより原稿を読み取るとともに、読み取られた原稿がデータとして電話回線を介して送信される。また、複合端末装置１は、電話回線を介して送信されてきたデータを画像信号に変換する機能をも有している。この画像信号は記録機構部６において被記録媒体に記録され、排紙される。このように、複合端末装置１はファクシミリ装置としての機能を併せ持つ。また、この複合端末装置１は複写機能をも有している。原稿載置用ガラスに複写したい原稿を載置すると、イメージスキャナ装置により原稿が読み取られ、読み取られた原稿データが記録機構部６を介して、当該原稿データが記録された被記録媒体が排紙部５から排紙される。その際、読み取りに使用された原稿は原稿排紙部７ｂより排紙される。
【００５２】
記録機構部６は、図３に示すように、シアン、マゼンタ、イエロー、ブラックの４色のカラーインクがそれぞれ充填される複数のインクカートリッジ１１、１１、１１、１１と、当該インクカートリッジ１１内のそれぞれのカラーインクとチューブ１２を介して接続され被記録媒体に記録するための記録ヘッド１０を備えるキャリッジ１３と、キャリッジ１３の両端を支持するＬ字ガイド１４、１４ａと、Ｌ字ガイド１４、１４ａに沿ってキャリッジ１３を移動させる駆動ユニット（図示なし）等を備えている。この記録ヘッド１０は、所定の被記録媒体の搬送方向に交差する方向（垂直方向）に延びるＬ字ガイド１４、１４ａ上を駆動ユニットから動力を受けて往復移動する。また、記録ヘッド１０の下方の面には、インク液を噴射（吐出）可能に構成されたノズル面が形成されている。
【００５３】
一方、駆動ユニットは、図示しないが、例えば、一方のＬ字ガイド１４ａの下方両端部に配置される２つのプーリと、これらのプーリの間に掛け渡されるエンドレスベルトと、一方のプーリに歯車等を介して接続される駆動モータと、からなる。そして、一方のプーリが、駆動モータ（ＣＲモータ）の駆動により正逆回転されると、そのプーリの正逆回転に伴って、エンドレスベルトに接合されているキャリッジ１３がＬ字ガイド１４、１４ａに沿って、直線方向に往復移動する。
【００５４】
また、一方のＬ字ガイド１４ａの下側には、キャリッジ１３の往復移動方向に延び、記録ヘッド１０と対向して配置される搬送ローラ９が配設される。この搬送ローラ９は図示しない被記録媒体送りモータによりギヤ機構を介して所定回転方向に回転され、給紙トレイ４ａから給紙された被記録媒体を、記録ヘッド１０の直ぐ下側を略水平状に移動させながら搬送し、排出トレイ５ｂに排紙する。
【００５５】
また、キャリッジ１３の左端部には、光学式のメディアセンサ（本発明における側端部検出手段）が下向きに装備されている。さらに、Ｌ字ガイド１４ａの下側、すなわち、記録ヘッド１０のノズル面によりインクを吐出する位置に、その上部に被記録媒体を保持可能な領域を有する平板状プラテン２０が設けられている。
【００５６】
このメディアセンサは、ＬＥＤ等の発光素子とフォトトランジスタ等の受光素子とを有する反射型センサから成っている。発光素子から被記録媒体および平板状プラテン２０に向かって出射された光が被記録媒体で反射するとともに、当該反射した光の受光素子における受光量に基づいて被記録媒体の有無が検知でき、Ｌ字ガイド１４に沿って移動しながら動作させることで、被記録媒体の側端部が検出されるようになっている。これにより、記録ヘッド１０の移動方向における記録の開始位置および記録の終了位置が位置決めされる。また、メディアセンサにより、記録した後にキャリッジ１３を左右に移動させることで、記録された記録画像をライン状に走査して、画像の濃淡をアナログデータとして読み込むことができるようになっている。
【００５７】
次に、本発明のインクジェット記録装置（複合端末装置）１に備えられる平板状プラテン２０について、説明する。
【００５８】
図４、図５および図６は平板状プラテン２０の斜視図、正面図および正面図におけるＡ−Ａ断面図を示している。平板状プラテン２０は樹脂成形品から成り、被記録媒体に対向する対向面２１上に複数のリブ２２、２６が突設されている。
【００５９】
被記録媒体の搬送方向Ｃに延び被記録媒体が搬送される際に被記録媒体との接触面積を低減する接触面積低減部材としてのリブ２２は、当該搬送方向Ｃにほぼ直交する方向に並設されている。また、リブ２２の下流側に設けられるリブ２６は、リブ２２よりも高さが低く、数が多い他は、リブ２２と同様に被記録媒体の搬送方向Ｃにほぼ直交する方向に並設されている。平板状プラテン２０に搬送される被記録媒体は、リブ２２、２６の上端と接触して、これらに支持される。リブ２２、２６によって平板状プラテン２０と被記録媒体との接触面積を削減して摩擦を低減し、被記録媒体の搬送をスムーズに行うことができるようになっている。
【００６０】
リブ２２はキャリッジ１３におけるメディアセンサの移動領域と対向する領域（図７の破線部分Ｄ参照）を含んだ平板状プラテン２０の後部（被記録媒体の搬送方向Ｃにおける上流側の部分）に配される。一方、リブ２６は堰止壁２７ｂによりリブ２２と分断され、平板状プラテン２０の前部（被記録媒体の搬送方向Ｃにおける下流側の部分）に配される。また、リブ２６はリブ２２よりも高さが低くなっており、平板状プラテン２０の対向面２１上に設けられているリブ２６の数は、リブ２２の数より多くなるように配設されている。但し、各リブ２２が配設された部位の搬送方向Ｃにおける延長線上には、堰止壁２７ｂを挟んでリブ２６がそれぞれ位置するように設けられている。このような平板状プラテン２０の構成により、被記録媒体の先端は記録領域から遠ざかると高さの低いリブ２６上を摺動し、記録領域の被記録媒体の浮き上がりを抑制するとともにスムーズな搬送を行うことができるようになっている。
【００６１】
次に、図４、図５および図６を参照して、本発明の第一実施形態の平板状プラテン２０の特徴的な構成について、さらに説明する。
【００６２】
平板状プラテン２０は、メディアセンサの移動領域と対向する領域（以下、メディアセンサ検知領域という。）Ｄに記録ヘッド１０により吐出されたインクが侵入することを堰き止める堰止壁２７ａ、２７ｂを被記録媒体の搬送方向Ｃに対して交差する位置に設けている。図４から図６に示すように、堰止壁２７ａ、２７ｂは、搬送方向Ｃに対して直交していることが好ましい。
【００６３】
堰止壁２７ａ、２７ｂは、メディアセンサ検知領域Ｄに記録ヘッド１０により吐出されたインクが侵入することを堰き止めるため、記録ヘッド１０がインクを吐出する領域Ｆよりも、メディアセンサを有する側に少なくとも一の堰止壁（図７における２７ａ）を有している。
【００６４】
堰止壁の数は、特に限定されず、一以上であればよいが、図４から図６に示すように、複数、例えば二つの堰止壁２７ａ、２７ｂを有する構成とすることができる。
【００６５】
また、記録ヘッド１０により、被記録媒体の縁にも記録する場合、いわゆる縁なし記録をする場合には、図６に示すように、被記録媒体の縁を記録するためにインクが直接吐出される領域Ｅよりもメディアセンサを有する側に堰止壁２７ｂを設けることが好ましい。
【００６６】
この堰止壁２７ｂを有する構成により、被記録媒体の縁を記録するための領域Ｅには記録ヘッド１０により被記録媒体の縁の外側にインクが吐出されるが、このインクが平板状プラテン２０のメディアセンサ検知領域Ｄに侵入することを堰き止めることができる。そのため、平板状プラテン２０のメディアセンサ検知領域にインクが侵入することを防止でき、インクが侵入することによるメディアセンサの誤検出が防止され、被記録媒体における記録品質を向上させることができる。
【００６７】
また、堰止壁２７ａは、発光素子から出射された光が受光素子に向かって反射することを防止する斜面２９ａを有していることが好ましい。この構成により、被記録媒体が存在しない場合には、発光素子から出射された光が受光素子の存在しない方向に反射するとともに、被記録媒体が存在する場合には、発光素子から出射された光が受光素子の存在する方向に反射するため、メディアセンサにより被記録媒体の側端部を正確に検出することができる。
【００６８】
さらに、堰止壁２７ａ、２７ｂの有する斜面２９ａ、２９ｂは、搬送方向Ｃの上流側に配置され（搬送方向Ｃの上流側に面している）、すなわち、斜面２９ａ、２９ｂは、被記録媒体の搬送方向Ｃの上流側に向かって低くなるような傾斜を有することが好ましい。この構成により、被記録媒体のＪＡＭを防止してスムーズに搬送することができる。
【００６９】
またさらに、堰止壁２７ａ、２７ｂの高さは、リブ２２よりも低いことが好ましい。堰止壁２７ａ、２７ｂの高さがリブ２２よりも低いことにより、リブ２２の接触面積低減部材としての役割を低減させず、スムーズに被記録媒体を搬送することができる。具体的には、高さの高いリブ２２は被記録媒体と摺動して記録された被記録媒体を案内するとともに、高さの低い堰止壁２７ａ、２７ｂは記録によってインクを吸収して搬送方向Ｃに垂直な方向に撓んだ被記録媒体を持ち上げる。従って、被記録媒体の撓みを抑制して品質の高い記録を行うことができる。
【００７０】
平板状プラテン２０における堰止壁２７ａ、２７ｂの記録ヘッド１０を有する側（領域Ｆ側）には、被記録媒体の搬送方向Ｃに実質的に平行な複数の溝部２８が設けられる。なお、搬送方向Ｃに実質的に平行とは、この溝部２８は、各小さなリブ２６の間に設けられるものである。また、当該溝部２８に誘導されたインクを吸収するインク吸収部材（図示しない）を溝部２８の下流側にさらに備えることが好ましい。なお、溝部２８が搬送方向Ｃに実質的に平行とは、溝部２８によりインク吸収部材までインクを誘導できる程度に平行であり、多少傾きを有していてもよい。
【００７１】
溝部２８が形成されることにより、リブ２６または溝部２８上に落下したインクが、毛管現象により溝部２８を伝って流れやすくなり、インク吸収部材に吸収されるため、インクのはけがよくなる。
【００７２】
なお、溝部２８およびリブ２６の形状は、図４から図６に示した四角柱型のリブ２６とその間に設けられる溝部２８に限定されず、例えば、リブ２６が三角柱型であり、この三角柱の間に隙間を設け、または隙間を設けずに並べることにより、三角の山の間に溝部２８が形成されるようにしてもよい。
【００７３】
また、平板状プラテン２０における堰止壁２７ａ、２７ｂの記録ヘッド１０が備えられる側には、シボが形成されていることが好ましい。シボが形成されることにより、堰止壁２７の記録ヘッド１０が備えられる側の対向面２１の撥水性が高められ、記録ヘッド１０により吐出されてリブ２６または溝部２８上に落下したインクが流れて、インク吸収部材に吸収されやすくなる。
【００７４】
なお、シボを形成するためには、成形金型の表面の面粗度をエッチング等により粗して成形品の表面に形成する。また、平板状プラテン２０には、シボを形成するほか、サンドブラスト加工等を行ってもよい。このため、平板状プラテン２０の成形加工時に同時にマット処理を施して工程数を削減することができる。
【００７５】
また、上述したシボは、少なくとも溝部２８の底面に形成されることが好ましい。この構成により、溝部２８の撥水性が高められ、溝部２８に落下したインクが流れてインク吸収部材に吸収されやすくなる。
【００７６】
次に、図７、図８および図９を参照して、本発明の第二実施形態の平板状プラテン２０の特徴的な構成について説明する。図７、図８および図９は、第二実施形態の平板状プラテン２０の斜視図、正面図および正面図におけるＢ−Ｂ断面図を示している。
【００７７】
平板状プラテン２０は、メディアセンサ（側端部検出手段）の移動領域と対向する領域Ｄに記録ヘッド１０により吐出されたインクが侵入することを堰き止める二つの堰止壁２７ｃ、２７ｄを被記録媒体の搬送方向Ｃに対して交差する位置に設けている。図７から図９に示すように、堰止壁２７ｃ、２７ｄは、搬送方向Ｃに対して直交していることが好ましい。
【００７８】
搬送方向Ｃの下流側に設けられる堰止壁２７ｄは、第一実施形態の堰止壁２７ｂと同様に、斜面２９ｄを有している。この斜面２９ｄの作用は、第一実施形態における斜面２９ｂと同様である。また、記録ヘッド１０により、被記録媒体の縁を記録する場合には、図９に示すように、被記録媒体の縁を記録するためにインクが直接吐出される領域Ｅよりもメディアセンサを有する側に堰止壁２７ｄを設けることが好ましい。
【００７９】
搬送方向Ｃの上流側に設けられる堰止壁２７ｃは、少なくとも記録ヘッド１０がインクを吐出する領域Ｆよりも上流側であり、メディアセンサ検知領域Ｄよりも下流側に設けられる。そして、堰止壁２７ｃは、メディアセンサ検知領域Ｄに記録ヘッド１０により吐出されるインクが侵入することを防止している。
【００８０】
この堰止壁２７ｃのさらにメディアセンサ検知領域Ｄ側の対向面２１は、反射防止処理が施された反射防止処理部２３となっていることが好ましい。メディアセンサの発光素子から出射された光は、平板状プラテン２０または被記録媒体の表面で反射して受光素子に入射する。しかし、平板状プラテン２０の反射防止処理部２３に反射された光は乱反射や吸収等によって受光素子に入射する光が極端に少なくなる。従って、平板状プラテン２０からの反射光が抑制または防止されるようになっている。一方、被記録媒体上で反射された光は受光素子に多量に入射する。このため、メディアセンサが受光する光量に基づいて複合端末装置１の制御部（図示しない）が被記録媒体の存在有無を確実に検知できるので、被記録媒体の側端部を正確に判断することが可能になる。
【００８１】
例えば、反射防止処理部２３としては、マット処理による非光沢面を形成して反射防止処理が施されていてもよい。マット処理はサンドブラスト加工やシボ加工により形成することができる。シボ加工は成形金型の表面の面粗度をエッチング等により粗して成形品の表面にシボを形成することにより行う。このため、平板状プラテン２０の成形加工時に同時にマット処理を施して工程数を削減することができる。本実施形態ではシボのパターンとして(株)日本エッチング製ＨＭ３０１３（つやなし）を用いている。
【００８２】
また、例えば、反射防止処理部２３としては、対向面２１上に光を吸収するシート状の光吸収体を貼着したものであってもよい。この構成により、発光素子の出射光は光吸収体により吸収され、反射光を低減することができる。
【００８３】
メディアセンサ検知領域Ｄにマット処理を施すことによってメディアセンサの発光素子から出射された光が反射防止処理部２３で乱反射する。これにより、対向面２１で反射して受光素子で捉えられる光を抑制し、被記録媒体が存在しない位置でのメディアセンサの誤検出がなくなる。つまり、被記録媒体の側端部の検出精度を向上させることができる。その結果、記録ヘッドの移動方向における記録開始位置および記録終了位置の位置決め精度を向上させることができる。
【００８４】
また、平板状プラテン２０の一端には記録ヘッド１０の目詰まり、乾燥を防止するためのフラッシング動作（画像記録とは無関係に記録ヘッド１０からインクを吐出させる）によって吐出されたインクを受けるフラッシング部３０が設けられている。フラッシング動作は、記録中、あるいは記録開始前、1ページの記録終了後のタイミング等において、記録ヘッド１０をフラッシング部３０に相対する位置まで移動させた後に実行される。
【００８５】
フラッシング部３０は、開口部３１と傾斜面３２、インク受け面３３、インク案内溝３６、３７から構成され、フラッシング動作においては、開口部３１と傾斜面３２に対向する位置で記録ヘッド１０からインクが吐出されるため、そのほとんどが開口部３１を介して下方に設けられている廃液フォーム（図示せず）へ直接吸収されるか、傾斜面３２で受け止められた後、開口部３１へ導入されることにより廃液フォームに吸収される。
【００８６】
インク受け面３３はフラッシング動作によって発生する微細なインクミストを受け止めるとともに、フラッシング動作によって吐出されたインクの一部が平板状プラテン２０の開口部３１以外からは下方へ落下しないように設けられている。
【００８７】
インク受け面３３上に受け止められたインクは、液体であるインクが持つ凝集力により徐々に凝集して水滴状となり、インク受け面３３上を移動しやすくなるが、インク受け面３３の外周部分近傍に設けられているインク案内溝３６、３７に案内されて開口部３１へと導かれる。
【００８８】
また、インク受け面３３の外周部分には、装置全体を傾斜させたり運搬する場合にインク受け面３３に付着したインクが平板状プラテン２０からこぼれないように、インク案内溝３７の外側にリブ３８、３９がそれぞれ立設されている。さらに、角部３４、３５は、表面張力によってインクの流れが阻害されないようにＲ形状に形成されている。
【００８９】
なお、第二実施形態の平板状プラテン２０においては、第一実施形態の平板状プラテン２０と同様に、リブ２６が設けられているが、本発明の平板状プラテン２０において、リブ２６は必須の構成ではなく、リブ２６を設けることなくシボを形成することにより、インクの撥水性を向上させることも可能である。
【００９０】
また、図９の断面図に示すように、平板状プラテン２０の裏面には格子状のリブ２４が突設されていてもよい。裏面に突設されるリブ２４によって薄板状に形成される平板状プラテン２０の強度を確保し、該平板上プラテン２０の反りを抑制することができる。また、平板状プラテン２０の長手方向の略中央にはリブ２４から更に突出した突起部２５が設けられる。これにより、平板状プラテン２０に加わる過大な荷重や経年変化による反りが発生しても突起部２５が平板状プラテン２０の下側のフレームと当接して反りを抑制できるようになっている。
【００９１】
また、堰止壁２７ａ、２７ｂ、２７ｃ、２７ｄ、斜面２９ａ、２９ｂ、２９ｄ、リブ２２、２６等は、平板状プラテン２０と共に同時に樹脂成形にて形成することもできる。
【図面の簡単な説明】
【００９２】
【図１】本発明の第一実施形態の複合端末装置を示す斜視図である。
【図２】本発明の第一実施形態の複合端末装置を示す側面断面図である。
【図３】本発明の第一実施形態の複合端末装置の内部の概略構造を示す斜視図である。
【図４】本発明の第一実施形態の複合端末装置の平板状プラテンを示す斜視図である。
【図５】本発明の第一実施形態の複合端末装置の平板状プラテンを示す正面図である。
【図６】図５における本発明の第一実施形態の複合端末装置の平板状プラテンのＡ−Ａ断面を示す断面図である。
【図７】本発明の第二実施形態の複合端末装置の平板状プラテンを示す斜視図である。
【図８】本発明の第二実施形態の複合端末装置の平板状プラテンを示す正面図である。
【図９】図８における本発明の第二実施形態の複合端末装置の平板状プラテンのＢ−Ｂ断面を示す断面図である。
【符号の説明】
【００９３】
１…  複合端末装置
２…  筐体
３…  操作部
４…  給紙部
５…  排紙部
６…  記録機構部
７…  原稿読取部
８…  外部メモリ挿入部
９…  搬送ローラ
１０…  記録ヘッド
１１…  インクカートリッジ
１２…  チューブ
１３…  キャリッジ
１４…  Ｌ字ガイド
２０…  平板状プラテン
２１…  対向面
２２、２４、２６…  リブ
２３…  反射防止処理部
２５…  突起部
２７ａ、２７ｂ、２７ｃ、２７ｄ…  堰止壁
２８…  溝部
２９ａ、２９ｂ、２９ｄ…  斜面
Ｄ…  メディアセンサ検知領域（メディアセンサの移動領域と対向する領域）
Ｅ…  被記録媒体の縁まで記録する場合の記録ヘッド１０によるインク吐出領域
Ｆ…  記録ヘッド１０がインクを吐出する領域
３０…  フラッシング部
３１…  開口部
３２…  傾斜面
３３…  インク受け面
３４、３５…  角部
３６、３７…  インク案内溝
３８，３９…  リブ
【図１】
2005280332.tif 000003
【図２】
2005280332.tif 000004
【図３】
2005280332.tif 000005
【図４】
2005280332.tif 000006
【図５】
2005280332.tif 000007
【図６】
2005280332.tif 000008
【図７】
2005280332.tif 000009
【図８】
2005280332.tif 000010
【図９】
2005280332.tif 000011